(57)【要約】    【課題】  従来の芯体を、外軸と、該外軸内に放射状に設けた複数個の芯室に収容する多芯式筆記具にあっては、断面が長方形や矩形、あるいは多角形、星型、楕円等の異形芯体を使用すると芯体の選択、繰り出し時に芯体の詰まりや噛みこみの問題があった。    【解決手段】  断面が異形な芯体を、外軸に放射状に設けた複数個の芯室に収容し、該芯室の一つと対向可能な芯体誘導孔を設けた中軸を前記外軸内に回転可能に、且つ、前進後退可能に配置すると共に、該中軸を弾撥部材によって後方に向けて付勢し、また、前記中軸の前方に回転不能に連設されると共に、芯体の把持及び開放をなす芯体把持手段を配置した多芯室型筆記具。【選択図】  図１
2011093238.tif 000002
【特許請求の範囲】
【請求項１】
断面が異形な芯体を、外軸に放射状に設けた複数個の芯室に収容し、該芯室の一つと対向可能な芯体誘導孔を設けた中軸を前記外軸内に回転可能に、且つ、前進後退可能に配置すると共に、該中軸を弾撥部材によって後方に向けて付勢し、また、前記中軸の前方に回転不能に連設されると共に、芯体の把持及び開放をなす芯体把持手段を配置した多芯室型筆記具。
【請求項２】
前記外軸の前端部に、その外軸に対して相対的な回転が可能な先部材を取り付けた請求項１記載の多芯室型筆記具。
【請求項３】
前記外軸に前記中軸よりも大径な鍔部材を設けると共に、その鍔部材によって前記中軸を前進・移動、並びに、回転させた請求項１、或いは、請求項２に記載の多芯室型筆記具。
【発明の詳細な説明】
【技術分野】
【０００１】
本発明は、断面が長方形や矩形、あるいは多角形、星型、楕円等の異形芯体を、外軸と、該外軸内に放射状に設けた複数個の芯室に収容し、該芯室の一つと対向可能となした芯体誘導孔を設け前記外軸内に回転可能に、且つ前進後退可能に配置した中軸と、該中軸の前方に回転不能に配置され、内部に芯体が通過する孔を有する中継軸、該中継軸の前方に回転不能に配置され芯体の把持及び開放をなす芯体把持手段と、前記外軸の前方に芯体把持手段と当接する先金を該外軸に対して回転可能に配設した事を特徴とする筆記具に関する。
【背景技術】
【０００２】
従来から、外軸と、該外軸内に放射状に配置した複数個の芯室と、前記芯室の一つと対向可能な開口部を有する芯体誘導孔を設け前方部に前記芯体の把持開放をなす芯体把持手段を連設し、前記外軸内に前進後退可能、且つ、回転可能に配置した中軸と、該中軸に止着した弾性を有する一対の蓋体と、該蓋体の任意箇所に設けた一対の係合部と、中軸前進により該係合部間に位置しつつ、該係合部を離反可能とした係合片からなる多芯筆記具が考案されていた。その一例が実公昭６３−０１６５５２号である。
また、長方形の断面を持つ芯体を把持するために、断面が扁平なコの字状の芯体挟持を設けた扁平芯用チャックの提案もなされている。実開平２−１０６３８６号である。
【特許文献１】実公昭６３−０１６５５２号公報
【特許文献２】実開平２−１０６３８６号公報
【発明の概要】
【発明が解決しようとする課題】
【０００３】
しかしながら、実公昭６３−０１６５５２号公報に記載された多芯筆記具においては、断面が円形の芯体を軸筒内に放射状に設けられた芯室に収納し、使用者が適宜芯の種類を選択、繰り出しを行うものではあるが、断面が長方形や矩形、あるいは多角形、星型、楕円等の異形芯は方向性がある為、芯体の選択、繰り出しにおいて、噛み込み、繰り出し不良等の不具合が発生する場合があった。
【課題を解決するための手段】
【０００４】
本発明は、断面が異形な芯体を、外軸に放射状に設けた複数個の芯室に収容し、該芯室の一つと対向可能な芯体誘導孔を設けた中軸を前記外軸内に回転可能に、且つ、前進後退可能に配置すると共に、該中軸を弾撥部材によって後方に向けて付勢し、また、前記中軸の前方に回転不能に連設されると共に、芯体の把持及び開放をなす芯体把持手段を配置したことを要旨とする。
【発明の効果】
【０００５】
本発明は、断面が異形な芯体を、外軸に放射状に設けた複数個の芯室に収容し、該芯室の一つと対向可能な芯体誘導孔を設けた中軸を前記外軸内に回転可能に、且つ、前進後退可能に配置すると共に、該中軸を弾撥部材によって後方に向けて付勢し、また、前記中軸の前方に回転不能に連設されると共に、芯体の把持及び開放をなす芯体把持手段を配置したことによって、芯体の選択や芯の繰り出しにおける、芯の噛み込みや繰り出し不良といった問題を極力防止することが可能となる。
【図面の簡単な説明】
【０００６】
【図１】本発明の第１実施例の構成を示す断面図。
【図２】芯体把持部の正面図。
【図３】芯体把持部の詳細断面図。
【図４】芯室の断面図。
【図５】尾栓部の詳細断面図。
【図６】芯繰り出しの作動図。
【図７】芯繰り出しの尾栓部詳細作動図。
【図８】本発明の第２実施例の構成を示す断面図。
【図９】芯体把持部の詳細断面図。
【図１０】芯室の断面図。
【図１１】筒体の斜視図。
【図１２】尾栓の斜視図。
【図１３】尾栓部の詳細断面図。
【図１４】芯繰り出しの作動図。
【図１５】芯繰り出しの尾栓部詳細作動図。
【図１６】本発明の第３実施例の構成を示す断面図。
【図１７】芯体把持部の詳細断面図。
【図１８】筒体の詳細断面図。
【図１９】筒体の斜視図。
【図２０】尾栓の斜視図。
【図２１】尾栓部の詳細断面図。
【図２２】芯繰り出しの作動図。
【図２３】芯繰り出しの尾栓部詳細作動図。
【発明を実施するための最良の形態】
【０００７】
図１乃至７に第１例を示し説明する。図１において、本発明の筆記具は大きく分類すると４つの部分で構成される。芯体の把持あるいは開放を行う芯体把持部と、芯体を貯蔵する外軸部、芯体を貯蔵部から前記芯体把持部へ導く通路となる中軸部、芯体の選択、繰り出しを行う尾栓部である。
【０００８】
芯体把持部は、異形芯１を把持、並びに、開放するチャック体２とそのチャック体２の後方に位置する先部材３で構成されている。それらチャック体２と先部材３は、金属材質から構成されているが、樹脂材質構成しても良い。前記チャック体２の後方には後方円錐状部２ａが形成されており、その後方円錐状部２ａは先部材３の前方内面に形成された斜面３ａに当設している。また、チャック体２は、２つのチャック片２ｂ（２ｃ）から構成されており、各々のチャック片２ｂ（２ｃ）の内側には、使用する異形芯の断面形状よりも若干大形な溝部２ｄが形成されている。本例に使用する異形芯の断面形状は矩形（長方形）であるため、前記溝部２ｄも矩形の異形芯が嵌り込むコの字状の溝部となっている。
【０００９】
外軸部は図３に示すように、外軸４と、その外軸４の内側に配置されたコイルスプリングなどの弾発部材５で構成されている。前記外軸４の前端には、前記先部材３が回転可能に内挿されているが、先部材３のほぼ中央部に形成された鍔部３ａによって外軸４内への没入が阻止されている。ここで、前記先部材３の外軸４との相対的な回転を良好となすために、先部材３と外軸４との間に潤滑剤を介在させても良いし、或いは、少なくとも一方の接触面に微細な凹凸部を形成するなどしても良い。また、外軸４の前方内面には縮径された段差４aが設けられており、その段差４ａには前記弾発部材５の一端部が当接している。一方、弾発部材の他端部は、後述する中継軸の段部に当接しており、その中継軸やチャック体２を後方に向けて付勢している。さらに、外軸４の内面には、複数の突起が長手方向に、且つ、円周方向に対して放射状の等間隔な位置に複数形成されており、その隣り合う突起間で形成される空間部が芯を収容する芯室４ｂとなっている。そして、その芯室４ｂの後方には、円周状の溝４ｃが設けられている。
【００１０】
前記中軸部は、中継軸６とその中継軸６の後方に固定された中軸７と、その中軸7に配置された蓋体８で構成されている。そして、それら中継軸６と中軸７とは相対的な回転が不能なものとなっている。前記中継軸６の内面には、使用する異形芯の形状に合わせた断面の貫通孔６ａが形成されている。本例においては、矩形（長方形）である。そして、その矩形の貫通孔６ａが形成された中継軸６の前端には、前記チャック体２が矩形の方向を同じくして固定されている。また、中継軸６のほぼ中央部の外周面には、段部６ｂが形成されており、前記弾発部材５の他端部が当接している。そして、その弾発部材５により、中継軸６が後方に向けて付勢されると共に、その中継軸６に固定されている前記中軸７やチャック体５なども後方に向けて付勢されている。尚、チャック体５も中継軸６に対して相対的な回転が不能に固定されている。即ち、中軸７と中継ぎ軸６、並びに、チャック体５が互いに回転が不能に一体化されているのである。さらに、前記中軸７の内側にも異形芯を誘導するための矩形状の溝７ａが前端から後端に架けて形成されており、前記中継軸６の矩形状の貫通孔６ａとその方向を同じくしている。
また、前記溝７ａには、金属材質からなるが、弾性変形が可能な蓋体８が配置されている。そして、その蓋体８の後部は、箱状に形成された係合部８ａが形成されており、その箱状の係合部８ａが、前記溝７ａの後部形成された突起７ｂに係合している。尚、蓋体８の後方部には、凹部８ｂが形成されており、その凹部８ｂには、後述する尾栓の突起が当接し得るようになっている。
【００１１】
前記尾栓部は、尾栓９とつまみ１０で構成されている。前記尾栓９は、外軸９から露出した鍔部９ｄと、前記外軸４に装着される縮径部９ｅから構成されているが、その縮径部９ｅの外周面にはリブ９ａが円周上に形成されている。そして、その円周上のリブ９ａが、前記外軸４後端に形成された円周状の溝４ｂに回転可能に係合されている。また、尾栓９の縮径部９ｅの前端部には、内側に向けて突起９ｂが形成されている。その突起９ｂは、前記蓋体８の凹部８ｂに位置すると共に、前記中軸７の溝７ａに侵入することによって係合もしている。
尚、前記つまみ１０は、中軸６の後部に着脱自在に取り付けられていると共に、つまみ１０の前端部には、切欠部１０ａが形成されている。前記芯室４ｂに収納された異形芯１は本例においては、８種類の色鉛筆芯から構成されている。しかし、硬度の異なる８種類の鉛筆芯であっても良いし、色鉛筆芯と鉛筆芯の組み合わせであっても良い。
【００１２】
本発明の芯体繰り出し方法について具体的に説明する。始めに使用する異形芯の選択を行うが、前記尾栓９を外軸４に対して相対的に回転させる。その尾栓９を外軸４に対して相対的に回転させることで、尾栓９に形成された突起９ｂが中軸７、並びに、蓋体８を回転せしめる。さらに、その中軸７の回転に伴い、中軸７に固定された中継軸６や、その中継軸６に固定されたチャック体２も回転する。そして、チャック体２が回転することにより、チャック体２と先部材３が相対的に回転しようとするが、外軸４と先部材３との摩擦抵抗が低いため、チャック体２の回転により先部材３が外軸４に対して容易に回転する。
【００１３】
ここで、異形芯の選択を行った後、つまみ１０を前方に押し込む。つまみ１０が前方に押し込まれると、つまみ１０に連設された中軸７や中継軸６、チャック２も前進し、チャック体２が拡開する。この時、前記中軸７の前進により中軸７に配置されている蓋体８も前進する。この蓋体８の前進によって、蓋体８の凹部８ａから尾栓９の突起９ｂが離脱し、蓋体８の表面に当接すると共に、その突起９ｂによって蓋体８が押し下げられ、この押し下げ動作によって蓋他８が溝７ａの底部に向かって屈曲する。そして、この蓋体８の屈曲動作によって芯室４ｂに収納されている異形芯１が自重で落下し、チャック２へと導かれる。これと同時に、チャック体２も拡開し、前記異形芯１がチャック体２の先端開口部から繰り出される。
【００１４】
図８乃至図１４に第２例を示し説明する。
図８においても、４つの部分で構成される。芯体の把持あるいは開放を行う芯体把持部と、芯体を貯蔵する外軸部、芯体を貯蔵部から前記芯体把持部へ導く通路となる中軸部、芯体の選択、繰り出しを行う尾栓部である。
【００１５】
芯体把持部は第１例と構成が同じであり、構造についての詳細な記述は省略する。
芯体把持部は、異形芯３1を把持、並びに、開放するチャック体３２とチャック体３２の後方に位置する先部材３３で構成されている。前記チャック体３２の後方には円錐状部３２ａが形成されており、その円錐状部３２ａは先部材３３の前方内面に形成された斜面３３ａに当設している。
【００１６】
外軸部は図９に示すように、外軸３４と、その外軸３４の内側に配置されたコイルスプリングなどの弾発部材３５、並びに、前記外軸３４の後部に固定された筒体３６で構成されている。その筒体３６の前端面には、複数の山形突起からなるカム面３６ａが形成されている。また、外軸３４の前方内面には縮径された段差３４aが設けられており、その段差３４ａには前記弾発部材３５の一端部が当接している。一方、弾発部材３５の他端部は、後述する中継軸の段部に当接しており、その中継軸やチャック体２を後方に向けて付勢している。さらに、外軸３４の内面には、複数の突起が長手方向に、且つ、円周方向に対して放射状の等間隔な位置に複数形成されており、その隣り合う突起間で形成される空間部が芯を収容する芯室３４ｂとなっている。そして、その芯室４ｂの後方には、円周状の溝３４ｃが設けられている。そして、その円周状の溝３４ｃに前記筒体３６の外周面に形成された円周上の突起３６ｂが嵌り込んでいる。
【００１７】
前記中軸部は、中継軸３７とその中継軸３７の後方に固定された中軸３８と、その中軸３８に配置された蓋体３９で構成されている。そして、それら中継軸３７と中軸３８とは相対的な回転が不能なものとなっている。前記中継軸３７の内面には、使用する異形芯の形状に合わせた断面の貫通孔３７ａが形成されている。本例においては、矩形（長方形）である。そして、その矩形の貫通孔３７ａが形成された中継軸３７の前端には、前記チャック体３２が矩形の方向を同じくして固定されている。また、中継軸３７のほぼ中央部の外周面には、段部３７ｂが形成されており、前記弾発部材３５の他端部が当接している。そして、その弾発部材３５により、中継軸３７が後方に向けて付勢されると共に、その中継軸３７に固定されている前記中軸３８やチャック体３２なども後方に向けて付勢されている。尚、チャック体３２も中継軸３７に対して相対的な回転が不能に固定されている。即ち、中軸３８と中継軸３７、並びに、チャック体３２が互いに回転が不能に一体化されているのである。さらに、前記中軸３８の内側にも異形芯を誘導するための矩形状の溝３８ａが前端から後端に架けて形成されており、前記中継軸３７の矩形状の貫通孔３７ａとその方向を同じくしている。
また、前記溝３８ａには、金属材質からなるが、弾性変形が可能な蓋体３９が配置されている。そして、その蓋体３９の後部は、箱状に形成された係合部３９ａが形成されており、その箱状の係合部３９ａが、前記溝３８ａの後部形成された突起３８ｂに係合している。尚、蓋体３９の後方部には、凹部３９ｂが形成されており、その凹部８ｂには、後述する尾栓の突起が当接し得るようになっている。
符号３８ｃは、前記な軸３８の中間部の外周面に形成された円周上の鍔部であって、後述する尾栓４０の前端部が当接している。
【００１８】
前記尾栓部は、尾栓４０とつまみ４１で構成されている。前記尾栓４０は、外軸３４から露出した鍔部４０ｂと、前記筒体３６を介して外軸３４に装着される縮径部４０ｃから構成されている。また、尾栓４０の縮径部４０ｃの前端部には、内側に向けて突起４０ｄが形成されている。その突起４０ｄは、前記蓋体３９の凹部３９ｂに位置すると共に、前記中軸３８の溝３８ａに侵入することによって係合もしている。さらに、縮径部４０ｃの中間部外面には、突起４０ａが形成されており、その突起４０ａの上面が前記筒体３６のカム面３６ａと係脱が可能に係合している。
そして、前記尾栓４０の前端部が弾発部材３５によって後方に付勢された付勢された中軸３８の鍔部３８ｃに当接している。即ち、尾栓４０も弾発部材３５によって後方に向けて付勢されているのである。その弾発力によって、尾栓４０と筒体３６の間には隙間Ｘが発生すると共に、弾発部材３５の付勢力に抗して尾栓４０を前方に向けて移動させることが可能なものとなっている。
前記つまみ４１は、中軸３８の後端に着脱可能に係合されている。
【００１９】
第２例の芯体繰り出し方法について具体的に説明する。第１例と同じく、始めに芯体の選択を行うが、前記尾栓４０を外軸３４に対して軸方向前方に押し込む。その尾栓４０の軸方向前方への押し込みにより、尾栓４０の鍔部４０ｂの前端面が外軸３４に固定されている筒体３６の後端面に接触する。その尾栓４０の前進により、筒体３６の前端に形成されているカム面３６aと尾栓４０の前方に形成されている突起４０ａの係止が外れ、尾栓４０は外軸３４の軸方向に対して回転可能となる。これと同時に、尾栓４０の前進させることにより、その尾栓４０が当接している中軸３８や中継軸３７、並びに、その中継軸３７に固定されているチャック体３２も前進する。このチャック体３２が前進した状態で尾栓４０を回転させると、チャック体５も回転する。このチャック体３２の回転時において、チャック体３２の前端部近傍の後方円錐状部３２ａと先部材３３に設けられた斜面３３ａが離脱しているため、該部分には摩擦抵抗が働かず、もって、軽い力で尾栓４０やチャック体３２などを回転させることができる。
【００２０】
ここで、異形芯３１の選択を行った後、つまみ４１を前方に押し込む。つまみ４１が前方に押し込まれると、つまみ４１に連設された中軸３８や中継軸３７、チャック体３２も前進し、チャック体３２が拡開する。この時、前記中軸３８の前進によりその中軸３８に配置されている蓋体３９も前進する。この蓋体３９の前進によって、蓋体３９の凹部３９ｂから尾栓４０の突起４０ｂが離脱し、蓋体３９の表面に当接すると共に、その突起４０ｂによって蓋体３９が押し下げられ、この押し下げ動作によって蓋他３９が溝７ａの底部に向かって屈曲する。そして、この蓋体３９の屈曲動作によって芯室３４ｂに収納されている異形芯１が自重で落下し、チャック体３２へと導かれる。これと同時に、チャック体３２も拡開し、前記異形芯３１がチャック体３２の先端開口部から繰り出される。
【００２１】
図１５乃至図２３に第３例を示し説明する。図１５においても、４つの部分で構成される。芯体の把持あるいは開放を行う芯体把持部と、芯体を貯蔵する外軸部、芯体を貯蔵部から前記芯体把持部へ導く通路となる中軸部、芯体の選択、繰り出しを行う尾栓部である。
【００２２】
芯体把持部は、異形芯７1を把持、並びに、開放するチャック体７２と、そのチャック体７２の後方に位置する先金７３で構成されている。チャック体７２の後方には、後方円錐状部７２ａが形成されており、その後方円錐状部７２ａが、先金７３の斜面７３ａに当設している。
【００２３】
外軸部は図１５に示すように、外軸７４と、その外軸７４の内側に配置されたコイルスプリングなどの弾発部材７５、並びに、前記外軸７４の後部に固定されたスリーブ７６で構成されている。また、外軸７４の前方内面には前記先金７３が回転可能に内挿されている。さらに、外軸７４の前方内面には縮径された段差７４aが設けられており、その段差７４ａには前記弾発部材７５の一端部が当接している。一方、弾発部材７５の他端部は、後述する中継軸の段部に当接しており、その中継軸やチャック体７２を後方に向けて付勢している。
また、外軸７４の内面には、複数の突起が長手方向に、且つ、円周方向に対して放射状の等間隔な位置に複数形成されており、その隣り合う突起間で形成される空間部が芯を収容する芯室７４ｂとなっている。そして、その芯室７４ｂの後方には、軸心方向に７４ｃが設けられている。
そして、前記スリーブ７６の内面には、円周上の溝７６ａが形成されており、後述する尾栓の突起が回転自在に嵌り込んでいる。
【００２４】
中軸部は、中継軸７７と中継軸７７の後方に固定された中軸７８と、その中軸７８が貫通する筒体７９、並びに、中軸７８に配置された蓋体８０で構成されている。前記中軸７８の前方には、異形芯の形状に合わせた断面の貫通孔７７ａを有する中継軸７７が固定されており、その中継軸７７の前端にはチャック体７２が固定されている。また、中継軸７７のほぼ中央部の外周面には、段部７７ａが形成されており、前記弾発部材７５の一端部が当接している。して、その弾発部材７５により、中継軸７７が後方に向けて付勢されると共に、その中継軸７７に固定されている前記中軸７８やチャック体７２なども後方に向けて付勢されている。前記中軸７８の後部には、鍔７８ａが形成されていると共に、中軸７８の内側には異形芯を誘導するための溝７８ｂが前端から後端に架けて形成されている。そして、その矩形状の溝７８ｂが、前記中継軸７７の矩形状の貫通孔７７ａとその方向を同じくしている。
また、前記中軸７８の溝７８ｂには、弾性変形が可能な蓋体８０が配置されている。そして、その蓋体８０の後部は、箱状に形成された係合部８０ａが形成されており、その箱状の係合部８０ａが、前記溝７８ｂの後部形成された突起７８ｃに係合している。尚、蓋体８０の後方部には、凹部８０ｂが形成されており、その凹部８０ｂには、後述する尾栓の突起が当接し得るようになっている。
前記外軸７４の後部内面には、筒体７９が固定されており、その筒体７９の後端面には複数の山形突起からなるカム面７９ｂが形成されている。また、筒体７９は、前記中軸７８の後部外周面に形成された鍔７８ａに当接している。即ち、筒体８９は、中軸７８が弾撥部材７５によって後方に付勢されることにより、その筒体８９も後方に向けて付勢されている。
【００２５】
前記尾栓部は、尾栓８１とつまみ８２で構成されている。前記尾栓８１は、外軸７４から露出した鍔部８１ｃと、前記スリーブ７６を介して外軸７４に装着される縮径部８１ｄから構成されている。また、尾栓８１の縮径部８１ｄの前端部には、内側に向けて突起８１ｅが形成されている。その突起８１ｅは、前記蓋体８０の凹部８０ｂに位置すると共に、前記中軸７８の溝７８ｂに侵入することによって係合もしている。
また、尾栓８１の縮径部８１ｄの前端面には複数の山形形状からなる凹凸部８１ａが形成されていると共に、略中央部の外周面には円周状に凸部８１ｂが形成されている。その尾栓８１の凹凸部８１ａは、前記外軸部筒体７９の後端に形成されたたカム面７９ｂに係脱可能に接している。尚、それら凹凸部８１ａとカム面７９ｂは前記弾発部材７５の付勢力によって噛み合っている。
尚、尾栓８１の円周状凸部８１ｂは、スリーブ７６に形成された溝７６aと係合しているが、尾栓８１とスリーブ７６とは相対的な回転が可能なものとなっている。また、前記つまみ８２は、中軸７８の後端部に着脱自在に取り付けられている。
【００２６】
第４例の芯体繰り出し方法について具体的に説明する。第１例と同じく、始めに芯体の選択を行うが、尾栓８１を外軸外軸７４に対して回転させる。その尾栓８１の回転により、尾栓８１の凹凸部８１ａが山形状のカム面７９ｂを乗り越え、この時、筒体７９が前進する。その筒体７９の前進により、筒体７９の前端面と鍔７８ａが接する中軸７８も前進する。そして、その中軸７８の前進により、中継軸７７やチャック７２も前進する。そのチャック体７２の前進により、チャック体７２の前端部近傍の後方円錐状部７２ａと先部材７３に設けられた斜面７３ａが離脱しているため、該部分には摩擦抵抗が働かず、もって、軽い力で尾栓９１やチャック体７２などを回転させることができる。
【００２７】
ここで、異形芯の選択を行った後、つまみ８２を前方に押し込む。つまみ８２１が前方に押し込まれると、つまみ８２に連設された中軸７８や中継軸７７、チャック７２も前進し、チャック体７２が拡開する。この時、前記中軸７８の前進によりその中軸７２に配置されている蓋体８０も前進する。この蓋体８０の前進によって、蓋体８０の凹部８０ｃから尾栓８１の突起８１ｅが離脱し、蓋体８０の表面に当接すると共に、その突起８１ｅによって蓋体８０が押し下げられ、この押し下げ動作によって蓋他８０が溝７８ｂの底部に向かって屈曲する。そして、この蓋体８０の屈曲動作によって芯室７４ｂに収納されている異形芯７１が自重で落下し、チャック体７２へと導かれる。これと同時に、チャック体７２も拡開し、前記異形芯７１がチャック体７２の先端開口部から繰り出される。
【符号の説明】
【００２８】
１      異形芯
２      チャック体
２ａ    円錐状部
３      先部材
３ａ    斜面
４      外軸
４ａ    段差
４ｂ    芯室
４ｃ    溝
５      弾発部材
６      中継軸
７      中軸
７ａ    溝
７ｂ    突起
８      蓋体
９      尾栓
９ａ    リブ
９ｂ    突起
９ｃ    孔
９ｄ    鍔部
９ｅ    縮径部
１０    つまみ
３１    異形芯
３２    チャック体
３２ａ  円錐状部
３３    先部材
３３ａ  斜面
３４    外軸
３４ａ  段差
３４ｂ  芯室
３４ｃ  溝
３５    弾発部材
３６    筒体
３６ａ  カム面
３６ｂ  突起
３７    中継軸
３７ａ  貫通孔
３７ｂ  段部
３８    中軸
３８ａ  溝
３８ｂ  突起
３８ｃ  円周状鍔部
３９    蓋体
３９ａ  係合部
３９ｂ  凹部
４０    尾栓
４０ａ  突起
４０ｂ  鍔部
４０ｃ  縮径部
４０ｄ  突起
４１    つまみ
７１    異形芯
７２    チャック体
７２ａ  円錐状部
７３    先部材
７３ａ  斜面
７４    外軸
７４ａ  段差
７４ｂ  芯室
７４ｃ  溝
７５    弾発部材
７６    スリーブ
７６ａ  溝
７７    中継軸
７７ａ  段部
７８    中軸
７８ａ  鍔
７８ｂ  溝
７８ｃ  突起
７９    筒体
７９ａ  突起
７９ｂ  カム面
８０    蓋体
８０ａ  係合部
８０ｂ  凹部
８１    尾栓
８１ａ  凹凸部
８１ｂ  凸部
８１ｃ  鍔部
８１ｄ  縮径部
８１ｅ  突起
８２    つまみ
【図１】
2011093238.tif 000003
【図２】
2011093238.tif 000004
【図３】
2011093238.tif 000005
【図４】
2011093238.tif 000006
【図５】
2011093238.tif 000007
【図６】
2011093238.tif 000008
【図７】
2011093238.tif 000009
【図８】
2011093238.tif 000010
【図９】
2011093238.tif 000011
【図１０】
2011093238.tif 000012
【図１１】
2011093238.tif 000013
【図１２】
2011093238.tif 000014
【図１３】
2011093238.tif 000015
【図１４】
2011093238.tif 000016
【図１５】
2011093238.tif 000017
【図１６】
2011093238.tif 000018
【図１７】
2011093238.tif 000019
【図１８】
2011093238.tif 000020
【図１９】
2011093238.tif 000021
【図２０】
2011093238.tif 000022
【図２１】
2011093238.tif 000023
【図２２】
2011093238.tif 000024
【図２３】
2011093238.tif 000025